(57)【特許請求の範囲】
【請求項１】
潤滑油が充填される油吸収体と、
２つの分割体から構成され、各分割体は前記油吸収体を収納する空間を有するケース本体と、
前記油吸収体に形成され、エレベータのドアロープの径に応じた半径を有する列溝と、を備え、
前記油吸収体に潤滑油が充填された状態で前記列溝に前記ドアロープを位置させて前記分割体を閉じた後、作業員が手により、前記ケース本体を把持してロープ長方向に摺動させることで前記ドアロープに潤滑油を塗布する、エレベータのドアロープ給油治具。
【請求項２】
前記列溝は、前記ドアロープの径に応じた異なる半径を有する複数で構成される、請求項１に記載のエレベータのドアロープ給油治具。
【請求項３】
前記ケース本体には、潤滑油を前記油吸収体に充填するための油注入口が設けられている、請求項１又は２に記載のエレベータのドアロープ給油治具。
【請求項４】
前記ケース本体は、前記２つの分割体が一端側でヒンジ結合され、他端側は開口部とされる、請求項１〜３の何れか1項に記載のエレベータのドアロープ給油治具。
【請求項５】
前記開口部側には、取っ手が設けられている、請求項４に記載のエレベータのドアロープ給油治具。
【請求項６】
請求項１〜５の何れか1項に記載のエレベータのドアロープ給油治具を使用してエレベータのドアロープに潤滑油を塗布するエレベータのドアロープ給油方法。
【発明の詳細な説明】
【技術分野】
【０００１】
本発明の実施形態は、エレベータのドアロープ給油治具及び給油方法に関する。
【背景技術】
【０００２】
建物のエレベータ乗場の壁面には、その壁面の内側の昇降路に通じる開口が出入口として設けられ、この出入口に乗場ドア装置が設置されている。この乗場ドア装置内には、２つのプーリが水平方向に間隔をおいて配置され、このプーリ間に無端状のドアロープが掛けられている。また、乗場ドア装置内には、ハンガーレールにローラを介して吊り下げられたドアパネルが設置され、上述したドアロープに連結されている。そして、プーリが反時計方向に回転してドアロープが周回すると、ローラがハンガーレール上を回転移動してドアパネルが閉方向に動作する。また、プーリが時計方向に回転すると、ドアパネルが開方向に動作する。
【先行技術文献】
【特許文献】
【０００３】
【特許文献１】特開２０１０−１８３９３号公報
【発明の概要】
【発明が解決しようとする課題】
【０００４】
上述した乗場ドア装置では、ドアロープの防錆対策およびプーリの摩耗防止対策のために、定期的にドアロープへの給油が必要である。そのため、エレベータの点検作業時に作業員が手動で給油を行っている。例えば、ウェスに潤滑油を染み込ませて軍手等を使用してドアロープに潤滑油を塗布している。このため、作業用具としてウェスと潤滑油を作業現場で用意する必要があり、また、作業現場でウェスに潤滑油を染み込ませる作業が必要となる。このように、従来の作業には多くの時間と労力を要するという問題があった。
【０００５】
本発明は上記事情に鑑みてなされたものであり、エレベータのドアロープへの給油を簡易な操作で行うことができるエレベータのドアロープ給油治具及び給油方法を提供することを目的としている。
【課題を解決するための手段】
【０００６】
上記の目的を達成するための実施形態は、潤滑油が充填される油吸収体と、２つの分割体から構成され、各分割体は前記油吸収体を収納する空間を有するケース本体と、前記油吸収体に形成され、エレベータのドアロープの径に応じた半径を有する列溝と、を備え、前記油吸収体に潤滑油が充填された状態で前記列溝に前記ドアロープを位置させて前記分割体を閉じた後、ロープ長方向に摺動させることで前記ドアロープに潤滑油を塗布する、エレベータのドアロープ給油治具である。
【図面の簡単な説明】
【０００７】
【図１】第１および第２実施形態が適用されるエレベータの構成を示す全体図。
【図２】第１実施形態に係るエレベータのドアロープ給油治具の全体構成を示す斜視図。
【図３】第１実施形態に係るエレベータのドアロープ給油治具を構成するケース本体を開いた状態を示す斜視図。
【図４】油吸収体であるフェルトの構成を示す斜視図。
【図５】第２実施形態に係るエレベータのドアロープ給油治具を使用した給油方法を示す説明図。
【図６】第２実施形態に係るエレベータのドアロープ給油治具の全体構成を示す斜視図。
【図７】第２実施形態に係るエレベータのドアロープ給油治具を構成するケース本体を開いた状態を示す斜視図。
【図８】第２実施形態に係るエレベータのドアロープ給油治具を使用した給油方法を示す説明図。
【発明を実施するための形態】
【０００８】
《第１実施形態》
本発明の第１実施形態によるドアロープ給油装置を用いたエレベータの構成について、図１〜図５を参照して説明する。
【０００９】
図１に示すように、本実施形態によるエレベータ１は、建物のエレベータ乗場の壁面に設けられ、当該壁面の内側の昇降路に通じる開口（出入口）に、乗場ドア装置２が設置されている。乗場ドア装置２は、乗場壁面の出入口上部に設置されたヘッダーケース３と、当該出入口を開閉するドアパネル４，５とを備える。
【００１０】
ヘッダーケース３には、２つのプーリ６，７が水平方向に間隔をおいて配置され、これらのプーリ６，７間に無端状のドアロープ８が掛けられている。
【００１１】
また、ヘッダーケース３内にはハンガーレール９およびハンガーレール９上を回転移動する複数のローラ１０−１〜１０−４が設置され、ローラ１０−１〜１０−４にドアパネル４，５が吊り下げられている。ドアパネル４，５はドアロープ８に連結されており、プーリ６，７が反時計方向に回転してドアロープ8が周回すると、ローラ１０−１〜１０−４がハンガーレール9上を回転移動してドアパネル４，５が閉方向に動作し、プーリ６，７が時計方向に回転すると、ドアパネル４，５が開方向に動作するように構成されている。
【００１２】
図２に示すように、第１実施形態のドアロープ給油治具２０Ａは、円筒状のケース本体２１Ａを備える。このケース本体２１Ａは、第１分割体２２Ａと第２分割体２３Ａとから構成されている。第１分割体２２Ａと第２分割体２３Ａとは一端側でヒンジ２４により開閉可能に連結され、他端側は開口部２５とされる。また、第２分割体２３Ａには、油注入口３０が形成されている。実施形態では、等間隔で３個、形成されているが、２個、あるいは４個以上であってもよい。
【００１３】
ケース本体２１Ａの端面（底面及び上面）には、２つの円孔（第１孔２８と第２孔２９）が形成されている。第１孔２８は、大径（例えば、φ4.00）のドアロープ用、第２孔２９は、小径（例えば、φ3.18）のドアロープ用であり、現場のエレベータの仕様に合わせて使い分けることができる。
【００１４】
また、第１分割体２２Ａ内には、直方体形状の第１空間２６が形成され、第２分割体２３Ａ内には、直方体形状の第２空間２７が形成されている。第１空間２６には、図４（ａ）に示す直方体形状の第１フェルト３１（油吸収体）が収納され、第２空間２７には、図４（ｂ）に示す直方体形状の第２フェルト３２（油吸収体）が収納される。
【００１５】
第１フェルト３１及び第２フェルト３２には、それぞれ、給油対象となるドアロープ８が位置される第1列溝３３と第２列溝３４が形成されている。第１列溝３３は、大径（例えば、φ4.00）のドアロープ用、第２列溝３４は、小径（例えば、φ3.18）のドアロープ用である。
【００１６】
以上の構成において、図５に示すように、作業員がドアロープ８に潤滑油を給油する際には、油吸収体である第１フェルト３１及び第２フェルト３２に潤滑油が充填された状態で、ドアロープ８の径に合わせて第1列溝３３又は第２列溝３４を選択して位置させる。この状態で第１分割体２２Ａと第２分割体２３Ａを閉じ、作業員が手３５により、ケース本体２１Ａを把持してロープ長方向に摺動させて、ドアロープに潤滑油を塗布すればよい。
【００１７】
このように、第１実施形態におけるエレベータのドアロープ給油治具によれば、ウェスに潤滑油を染み込ませて軍手等を使用してドアロープに潤滑油を塗布する作業が不要となる。エレベータのドアロープへの給油を簡易な操作で行うことができる。
【００１８】
《第２実施形態》
図６〜図８は第２実施形態に係るエレベータのドアロープ給油治具を示している。なお、第１実施形態に係るエレベータのドアロープ給油治具同一構成部分には同一番号を付してその説明は省略する。
【００１９】
第２実施形態のドアロープ給油治具２０Ｂは、本体ケース２１Ｂに取っ手４０を一体形成したことを特徴としている。すなわち、第１分割体２２Ｂと第２分割体２３Ｂのそれぞれ対向する位置に取っ手４０を一体形成し、第１分割体２２Ｂと第２分割体２３Ｂとを閉じた状態では作業員が取っ手４０を把持できるように構成されている。
【００２０】
以上の構成において、図８に示すように、作業員がドアロープ８に潤滑油を給油する際には、油吸収体である第１フェルト３１及び第２フェルト３２に潤滑油が充填された状態で、ドアロープ８の径に合わせて第1列溝３３又は第２列溝３４を選択して位置させる。この状態で第１分割体２２Ａと第２分割体２３Ａを閉じ、作業員が手３５により取っ手４０を把持してロープ長方向に摺動させて、ドアロープに潤滑油を塗布すればよい。
【００２１】
このように、第２実施形態におけるエレベータのドアロープ給油治具によれば、ウェスに潤滑油を染み込ませて軍手等を使用してドアロープに潤滑油を塗布する作業が不要となる。エレベータのドアロープへの給油を簡易な操作で行うことができる。
【００２２】
特に、第２実施形態では、ケース本体２１Ｂに取っ手４０を形成したので、作業員は手で取っ手４０を把持して摺動させるだけで、ドアロープ８の給油作業をより一層、容易に行うことができる。さらに、取っ手４０が形成されているので、ドアロープ給油治具２０Ｂの持ち運びが容易になる。
【００２３】
なお、以上の各実施形態において、ケース本体２１Ａ，２１Ｂは円筒状に形成されているが、これに限られず、直方体や断面楕円形状の円筒等であってもよい。
【００２４】
以上説明したように、各実施形態によれば、遠隔によるロープ診断運転を必要な頻度で実施することで、診断運転頻度を最適化し、診断効率を上げることができ、遠隔にてロープの劣化状況を把握することができる。
【００２５】
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２６】
１…エレベータ、２…乗場ドア装置、３…ヘッダーケース、４，５…ドアパネル、６，７…プーリ、８…ドアロープ、９…ハンガーレール、１０−１〜１０−４…ローラ、２０Ａ，２０Ｂ…ドアロープ給油治具、２１Ａ，２１Ｂ…ケース本体、２２Ａ，２２Ｂ…第１分割体、２３Ａ，２３Ｂ…第２分割体、２４…ヒンジ、２５…開口部、２６…第１空間、２７…第２空間、２８…第１孔、２９…第２孔、３０…油注入口、３１…第１フェルト（油吸収体）、３２…第２フェルト（油吸収体）、３３第１列溝、３４…第２列溝、３５…手、４０…取っ手
【要約】
【課題】エレベータのドアロープへの給油を簡易な操作で行うことができるエレベータのドアロープ給油治具及び給油方法を提供する。
【解決手段】潤滑油が充填される油吸収体と、２つの分割体から構成され、各分割体は前記油吸収体を収納する空間を有するケース本体と、前記油吸収体に形成され、エレベータのドアロープの径に応じた半径を有する列溝と、を備え、前記油吸収体に潤滑油が充填された状態で前記列溝に前記ドアロープを位置させて前記分割体を閉じた後、ロープ長方向に摺動させることで前記ドアロープに潤滑油を塗布する。
【選択図】図５【図１】
0006916328.tif 000002
【図２】
0006916328.tif 000003
【図３】
0006916328.tif 000004
【図４】
0006916328.tif 000005
【図５】
0006916328.tif 000006
【図６】
0006916328.tif 000007
【図７】
0006916328.tif 000008
【図８】
0006916328.tif 000009